(57)【要約】      （修正有）【課題】越流水が堤防の裏法面を流下するのを確実に防止する侵食防止シートを提供する。【解決手段】堤防の侵食防止シート１は、不透水性材料で構成されたシート体２とシート体２の上面に互いに離間するように２列に並設された可撓性の堰堤３，３とで構成してある。堰堤３，３は、互いに対向するように配置してあり、堰堤３，３の間に延びるシート体２とともに、横断面が凹部状の水路を形成するようになっている。侵食防止シート１を堤防２１に設置するにあたっては、堤防２１の上面２２から裏法面２３を経て堤内側地盤面２４に至る範囲が覆われるようにかつ堰堤３の列方向が堤防２１の堤体軸線とほぼ直交するように敷設する。【選択図】図２
2015117474.tif 000002
【特許請求の範囲】
【請求項１】
不透水性材料で構成されたシート体と、該シート体の上面に互いに離間するように並設された複数列の堰堤とを備え、該複数列の堰堤のうち、互いに対向する一対の堰堤は、前記シート体のうち、該一対の堰堤の間に延びるシート体とともに横断面が凹部状の水路を形成するようになっていることを特徴とする堤防の侵食防止シート。
【請求項２】
複数の矩形状シート片の上面であって互いに反対側となる２つの縁部に沿って堰部材をそれぞれ配置し、該堰部材が並列にかつ材軸方向に沿って連続するように前記複数の矩形状シート片を接合することで、該複数の矩形状シート片で前記シート体を構成し、前記複数の堰部材で前記一対の堰堤を構成した請求項１記載の堤防の侵食防止シート。
【請求項３】
複数の矩形状シート片の上面であってそれらの中央近傍に互いに反対側となる２つの縁部の間を延びるように堰部材をそれぞれ配置し、該堰部材が並列にかつ材軸方向に沿って連続するように前記複数の矩形状シート片を接合することで、該複数の矩形状シート片で前記シート体を構成し、前記複数の堰部材で前記一対の堰堤を構成した請求項１記載の堤防の侵食防止シート。
【請求項４】
複数の矩形状シート片の上面であって４つの縁部のうち、１つの縁部に沿って堰部材をそれぞれ配置し、該堰部材が並列にかつ材軸方向に沿って連続するように前記複数の矩形状シート片を接合することで、該複数の矩形状シート片で前記シート体を構成し、前記複数の堰部材で前記一対の堰堤を構成した請求項１記載の堤防の侵食防止シート。
【請求項５】
前記複数の矩形状シート片のうち、前記堰部材の材軸方向に直交する方向に沿って隣り合う２つの矩形状シート片の間に拡張用シート片を介在させるとともに、前記複数の矩形状シート片及び前記拡張用シート片で前記シート体を構成した請求項３又は請求項４記載の堤防の侵食防止シート。
【請求項６】
前記堰堤又は前記堰部材を、内部空間に水が充填できるように形成されてなる袋体で構成した請求項１乃至請求項５のいずれか一記載の堤防の侵食防止シート。
【請求項７】
前記シート体又は前記矩形状シート片の上面に前記堰堤又は前記堰部材の材軸方向に直交する方向に沿って減勢部材を配置した請求項１乃至請求項５のいずれか一記載の堤防の侵食防止シート。
【発明の詳細な説明】
【技術分野】
【０００１】
本発明は、主として河川堤防や海岸堤防の裏法面における侵食防止対策として採用される堤防の侵食防止シートに関する。
【背景技術】
【０００２】
堤防は、河川の流水による氾濫を防ぐ河川構造物であって、予想される降雨や流量増加に基づいて計画高水位が設定されるとともに、該計画高水位に背後地の重要性等に応じた余裕高が加えられることで天端高が決定される。
【０００３】
そのため、河川流水が堤防を越えるいわゆる越流は原則として想定されておらず、堤防の安全対策としては、主に浸透に対する対策が重要視されてきた。
【０００４】
すなわち、堤防内では、河川水位の上昇や降雨に起因して浸潤線が上昇し、それが土のせん断強度低下や土の単位体積重量の増加を招いて法面安定性を低下させる。
【０００５】
浸透水に対する対策としては、堤防法面のうち、河川側の法面、いわゆる川表あるいは表法面と呼ばれる側に水密性の高いコンクリートを構築したり、不透水性装置を敷設したりする方法が一般的であり、かかる対策によって、浸潤線の上昇を抑制し、堤防の安全性を確保することが期待できる。
【０００６】
一方、地球温暖化に代表される気候変動の影響により、集中豪雨の際、想定外の雨量となって河川流水の水位が計画高水位を上回り、越流水として堤防を越える事態が観測されるようになってきた。
【０００７】
かかる越流水は、堤防を乗り越えた後、勢いよくその裏法面を流下しながら該裏法面を侵食し、表法面からの浸透と相俟って、ついには堤防を決壊させ、氾濫を引き起こす原因となる。
【０００８】
そのため、堤防が河川の氾濫防止機能を十分に果たすためには、上述した浸透のみならず、越流に対しても十分な対策を施す必要性が高まってきた（特許文献１，２）。
【先行技術文献】
【特許文献】
【０００９】
【特許文献１】特開２００６−１６１３６４号公報
【特許文献２】特開２０１１−１６３００２号公報
【発明の概要】
【発明が解決しようとする課題】
【００１０】
しかしながら、特許文献１記載の堤防決壊防護装置では、互いに区画形成された複数の小部屋２３にそれぞれ水が充填されてなる構造となっているため、越流水は、流下抵抗が大きい装置を迂回するように装置から側方の裏法面へと流出し、結果として裏法面を侵食するおそれがあるという問題や、特許文献２記載の植生による侵食防止対策では中長期的には十分な効果が期待できるものの、緊急時の対策としては採用が難しいという問題を生じていた。
【課題を解決するための手段】
【００１１】
本発明は、上述した事情を考慮してなされたもので、越流水が堤防の裏法面を直接流下するのを確実に防止するとともに、緊急時の対策として採用することも可能な堤防の侵食防止シートを提供することを目的とする。
【００１２】
上記目的を達成するため、本発明に係る堤防の侵食防止シートは請求項１に記載したように、不透水性材料で構成されたシート体と、該シート体の上面に互いに離間するように並設された複数列の堰堤とを備え、該複数列の堰堤のうち、互いに対向する一対の堰堤は、前記シート体のうち、該一対の堰堤の間に延びるシート体とともに横断面が凹部状の水路を形成するようになっているものである。
【００１３】
また、本発明に係る堤防の侵食防止シートは、複数の矩形状シート片の上面であって互いに反対側となる２つの縁部に沿って堰部材をそれぞれ配置し、該堰部材が並列にかつ材軸方向に沿って連続するように前記複数の矩形状シート片を接合することで、該複数の矩形状シート片で前記シート体を構成し、前記複数の堰部材で前記一対の堰堤を構成したものである。
【００１４】
また、本発明に係る堤防の侵食防止シートは、複数の矩形状シート片の上面であってそれらの中央近傍に互いに反対側となる２つの縁部の間を延びるように堰部材をそれぞれ配置し、該堰部材が並列にかつ材軸方向に沿って連続するように前記複数の矩形状シート片を接合することで、該複数の矩形状シート片で前記シート体を構成し、前記複数の堰部材で前記一対の堰堤を構成したものである。
【００１５】
また、本発明に係る堤防の侵食防止シートは、複数の矩形状シート片の上面であって４つの縁部のうち、１つの縁部に沿って堰部材をそれぞれ配置し、該堰部材が並列にかつ材軸方向に沿って連続するように前記複数の矩形状シート片を接合することで、該複数の矩形状シート片で前記シート体を構成し、前記複数の堰部材で前記一対の堰堤を構成したものである。
【００１６】
また、本発明に係る堤防の侵食防止シートは、前記複数の矩形状シート片のうち、前記堰部材の材軸方向に直交する方向に沿って隣り合う２つの矩形状シート片の間に拡張用シート片を介在させるとともに、前記複数の矩形状シート片及び前記拡張用シート片で前記シート体を構成したものである。
【００１７】
また、本発明に係る堤防の侵食防止シートは、前記堰堤又は前記堰部材を、内部空間に水が充填できるように形成されてなる袋体で構成したものである。
【００１８】
また、本発明に係る堤防の侵食防止シートは、前記シート体又は前記矩形状シート片の上面に前記堰堤又は前記堰部材の材軸方向に直交する方向に沿って減勢部材を配置したものである。
【００１９】
本発明に係る堤防の侵食防止シートにおいては、不透水性材料で構成されたシート体と、該シート体の上面に互いに離間するように並設された複数列の堰堤とを備え、該複数列の堰堤のうち、互いに対向する一対の堰堤は、それらの間に延びるシート体とともに横断面が凹部状の水路を形成するようになっており、河川堤防や海岸堤防のうち、越流の懸念がある部位を対策部位とし、該対策部位に本発明に係る堤防の侵食防止シートを設置する。
【００２０】
本発明に係る堤防の侵食防止シートを設置するにあたっては、対策部位となる堤防の上面から裏法面を経て法尻、場合によってはさらに堤内側地盤面に至る範囲が覆われるようにかつ堰堤の列方向が堤体軸線と所定の角度をなすよう、例えばほぼ直交するように敷設する。
【００２１】
法肩では堤防の上面と裏法面との間で勾配が変化し、法尻では裏法面と堤内側地盤面との間で勾配が変化するため、これら勾配の変化に追従できるように、堰堤に可撓性を持たせておくのが望ましい。
【００２２】
このように本発明に係る堤防の侵食防止シートを対策部位に設置すると、堤外側からの越流水は、堤防の上面直上位置でシート体に乗り上げるようにして流入し、さらに一対の堰堤で導水されながらシート体の上を流下した後、裏法面の法尻、場合によってはその先の堤内側地盤面で適宜放流され、回収されあるいは別の水路に誘導される。
【００２３】
そのため、越流水が堤防の裏法面を直接流下するおそれがなくなり、かくして裏法面が侵食されて堤防が決壊に至る事態を未然に回避することができる。
【００２４】
本発明に係る堤防の侵食防止シートは、対策部位に運搬して設置し、上述のように堤防の侵食を防止した後は、これを撤収して別の対策部位に移設したり保管したりすることが可能な繰り返し使用が可能でかつ可搬性を有するものであり、シート体及び複数列の堰堤が一体に形成された構成でもかまわない。
【００２５】
ここで、一体形成に代えて、予め分割されたものを互いに接合して一体化するようにすれば、予め分割されたものを自由自在にレイアウトすることで、本発明に係る堤防の侵食防止シートの平面形状を対策部位の状況に応じて任意に形成することができるとともに、運搬時や保管時の取り扱いが容易になり、可搬性がより向上する。
【００２６】
分割構成のパターンは、以下のように分類される。
【００２７】
(a)  複数の矩形状シート片の上面であって互いに反対側となる２つの縁部に沿って堰部材を例えば溶着によってそれぞれ配置し、該堰部材が並列にかつ材軸方向に沿って連続するように前記複数の矩形状シート片を例えばファスナーで接合することで、該複数の矩形状シート片で前記シート体を構成し、前記複数の堰部材で前記一対の堰堤を構成した形態
【００２８】
(b)  複数の矩形状シート片の上面であってそれらの中央近傍に互いに反対側となる２つの縁部の間を延びるように堰部材を例えば溶着によってそれぞれ配置し、該堰部材が並列にかつ材軸方向に沿って連続するように前記複数の矩形状シート片を例えばファスナーで接合することで、該複数の矩形状シート片で前記シート体を構成し、前記複数の堰部材で前記一対の堰堤を構成した形態
【００２９】
(c)  複数の矩形状シート片の上面であって４つの縁部のうち、１つの縁部に沿って堰部材を例えば溶着によってそれぞれ配置し、該堰部材が並列にかつ材軸方向に沿って連続するように前記複数の矩形状シート片を例えばファスナーで接合することで、該複数の矩形状シート片で前記シート体を構成し、前記複数の堰部材で前記一対の堰堤を構成した形態
【００３０】
これら(a)〜(c)のうち、(a)は、各矩形状シート片に一対の堰部材がそれぞれ配置されたものであって、該一対の堰部材が材軸方向に沿って連続するように矩形状シート片を１列に接合するパターンとなる。
【００３１】
これに対し、(b)や(c)は、各矩形状シート片に堰部材が一つずつ配置されたものであって、該堰部材が並列にかつ材軸方向に沿って連続するように矩形状シート片を２列に接合するパターンとなる。
【００３２】
(a)〜(c)の分割構成は、それぞれを単独で構成するほか、それぞれを複数組で構成したり、(a)〜(c)から任意に選び出して構成することが可能である。
【００３３】
上述した分割構成のうち、(b)、(c)については、複数の矩形状シート片のうち、堰部材の材軸方向に直交する方向に沿って隣り合う２つの矩形状シート片の間に拡張用シート片を介在させるとともに、これら複数の矩形状シート片及び拡張用シート片で上述のシート体を構成するようにしてもよい。
【００３４】
かかる構成によれば、水路幅を大きくとることができるので、越流規模が大きい場合であっても、越流水を本発明に係る堤防の侵食防止シートの水路に確実に導くことができる。
【００３５】
堰堤やその分割構成である堰部材は、例えば内部空間に水が充填できるように形成されてなる袋体で構成することができる。
【００３６】
越流水を流下させるにあたり、越流の状況によっては流下速度が大きくなり、速度を落とすことなく法尻を経て堤内側地盤に流出することがあり、その場合には、堤内側の住宅などに被害が生じるおそれがあるが、シート体やその分割構成である矩形状シート片の上面に堰堤又は堰部材の材軸方向に直交する方向に沿って減勢部材を配置するようにすれば、シート体を流下する越流水が減勢部材にぶつかることで流速を落とすため、上述の被害を未然に防止することができる。
【００３７】
減勢部材は、例えば法尻相当箇所に設けるのが望ましい。
【００３８】
減勢部材は、例えば堰部材と同様、内部空間に水が充填できるように形成されてなる袋体で構成することが可能であり、ベルト、バンド、ロープ等の適当な結束手段を用いてシート体や矩形状シート片に着脱自在に取り付けるようにすればよい。
【００３９】
また、越流水がぶつかったときの勢いで、取付け位置がずれたり、取付け位置から外れたりするのを防止するため、シート体や矩形状シート片の上面にストッパーを立設しておき、該ストッパーにあてがうようにして減勢部材を取り付けるようにするのが望ましい。
【図面の簡単な説明】
【００４０】
【図１】本実施形態に係る堤防の侵食防止シート１の図であり、(a)は平面図、(b)はＡ−Ａ線に沿う断面図。
【図２】侵食防止シート１を堤防２１に設置した様子を示した図であり、(a)は越流が生じていないとき、(b)は越流が生じているときの状況をそれぞれ示した斜視図。
【図３】変形例に係る侵食防止シートを示した図であり、(a)は設置状況の斜視図、(b)はＢ−Ｂ線に沿う断面図。
【図４】別の変形例に係る侵食防止シートを設置状態で示した斜視図。
【図５】分割構成に係る侵食防止シートの変形例を示した組立斜視図及び組立後の全体斜視図。
【図６】同じく分割構成に係る侵食防止シートの変形例を示した組立斜視図及び組立後の全体斜視図。
【図７】同じく分割構成に係る侵食防止シートの変形例を示した組立斜視図及び組立後の全体斜視図。
【図８】同じく分割構成に係る侵食防止シートの変形例を示した組立斜視図及び組立後の全体斜視図。
【発明を実施するための形態】
【００４１】
以下、本発明に係る堤防の侵食防止シートの実施の形態について、添付図面を参照して説明する。
【００４２】
図１は、本実施形態に係る堤防の侵食防止シート１を示した図である。同図に示すように侵食防止シート１は、矩形状をなすシート体２と、該シート体の上面に互いに離間するように２列に並設された可撓性の堰堤３，３とで構成してある。
【００４３】
シート体２は、不透水性材料で構成してあり、その上面を流下する越流水が下方に浸透しないように構成してある。
【００４４】
堰堤３は、同図(b)でよくわかるように内部空間に水４が充填できるように形成されてなるチューブ状の袋体５で構成してあり、溶着によってシート体２の縁部に接合してある。
【００４５】
堰堤３，３は、互いに対向するように配置してあり、該堰堤の間に延びるシート体２とともに、横断面が凹部状の水路６を形成するようになっている。
【００４６】
シート体２及び堰堤３は、耐水性や柔軟性に優れた樹脂素材から適宜選択して製作すればよい。
【００４７】
本実施形態に係る侵食防止シート１を用いて越流による堤防の決壊を防止するには、まず、河川堤防や海岸堤防のうち、越流の懸念がある部位を対策部位とし、該対策部位に侵食防止シート１を設置する。
【００４８】
対策部位としては、堤防の決壊が起きやすいとされる河川の合流地点や湾曲地点あるいは川幅が狭くなっている場所が考えられる。
【００４９】
図２(a)は、対策部位である堤防２１に侵食防止シート１を設置した様子を示したものである。
【００５０】
同図でわかるように、侵食防止シート１を堤防２１に設置するにあたっては、堤防２１の上面２２から裏法面２３を経て堤内側地盤面２４に至る範囲が覆われるようにかつ堰堤３の列方向が堤防２１の堤体軸線とほぼ直交するように敷設する。
【００５１】
ここで、法肩２５では堤防２１の上面２２と裏法面２３との間で勾配が変化し、法尻２６では裏法面２３と堤内側地盤面２４との間で勾配が変化するため、法肩２５や法尻２６でチューブ状の袋体５からなる堰堤３を折り曲げることにより、これら勾配の変化に侵食防止シート１を追従させる。
【００５２】
このように侵食防止シート１を堤防２１に設置すると、堤外側、すなわち河川側からの越流水は同図(b)に示すように、堤防２１の上面２２直上位置でシート体２に乗り上げるようにして流入し、次いで、一対の堰堤３，３で導水されながらシート体２の上を流下した後、堤内側地盤面２４で適宜放流される。
【００５３】
以上説明したように、本実施形態に係る堤防の侵食防止シート１によれば、越流水が堤防２１の裏法面２３を直接流下するおそれがなくなり、かくして裏法面２３が侵食されて堤防２１が決壊に至る事態を未然に回避することができる。
【００５４】
また、本実施形態に係る堤防の侵食防止シート１によれば、堰堤３を、内部空間に水４が充填できるように形成されてなるチューブ状の袋体５で構成したので、越流水の流速が大きい場合でも、従前の土嚢と大差ない堰止め作用を発揮させることができるとともに、設置、運搬、保管の際は水を抜くことが出来るので、取り扱いの容易さは、従前の土嚢よりも格段に向上する。
【００５５】
本実施形態では、複数列からなる本発明の堰堤を、２列に並設された堰堤３，３で構成するとともに、堰堤３，３及びそれらの間に延びるシート体２に囲まれた内側空間を、越流水を流下させるための水路６としたが、堰堤の列数はもちろん２列に限定されるものではなく、例えば図３に示すように、シート体２の上面に互いに離間するように並設された３列の堰堤３で本発明の侵食防止シートを構成することが可能である。
【００５６】
かかる構成においては、同図(b)でよくわかるように、３列の堰堤３のうち、互いに互いに対向する堰堤３，３とそれらの間に延びるシート体２がそれぞれ、横断面が凹部状をなす水路６を形成する。
【００５７】
図３記載の変形例に係る侵食防止シートによれば、越流水の流速が大きい場合であっても、中央に配置された堰堤３が整流作用を発揮するため、越流水を側方に溢れさせることなく確実に下方に向けて導水することができる。
【００５８】
また、本実施形態では、侵食防止シート１を堤防２１に設置する際、堤防２１の上面２２から裏法面２３を経て堤内側地盤面２４に至る範囲が覆われるようにしたが、裏法面２３の侵食防止作用が損なわれないのであれば、堤防２１の上面２２から裏法面２３を経て法尻２６までとしてもかまわない。
【００５９】
また、本実施形態では、堤防２１の上面２２直上位置でシート体２に乗り上げるようにして流入した越流水を堤内側地盤面２４で放流するようにしたが、これは、堤防２１の裏法面２３が越流水によって侵食され、それが原因で堤防２１が決壊した場合の被害規模が甚大であることに鑑みたものであるが、堤内側地盤面２４への越流水の放流による堤内側での浸水被害が大きい場合には、越流水を堤内側地盤面２４で放流せず、必要に応じて水路等で導水した後、越流が起こる懸念がない場所に戻すようにしてもかまわない。
【００６０】
また、本実施形態では特に言及しなかったが、越流水の流下速度が大きく、そのままの速度で堤内側地盤２４に流出すると、堤内側の住宅などに被害が生じるおそれがある場合がある。
【００６１】
かかる場合には、図４に示すように、減勢部材４１をシート体２の上面に堰堤３の材軸方向に直交する方向に沿って配置した構成を採用することができる。
【００６２】
減勢部材４１は、堰堤３と同様、内部空間に水４が充填できるように形成されてなるチューブ状の袋体５で構成することが可能であり、例えば法尻２６の直上位置近傍に配置する構成を採用することができる。
【００６３】
減勢部材４１は同図に示すように、結束手段であるベルト４３を用いて着脱自在にシート体２に取り付けるようにすればよいが、越流水がぶつかったときの勢いで取付け位置がずれたり、取付け位置から外れたりするのを防止すべく、シート体２の上面にストッパー４２を立設しておき、該ストッパーにあてがうようにして減勢部材４１を取り付けるのが望ましい。
【００６４】
かかる変形例によれば、シート体２を流下する越流水が減勢部材４１にぶつかることで流速を落とすため、上述の被害を未然に防止することが可能となる。
【００６５】
また、本実施形態では、シート体２及び堰堤３，３が一体に形成されるものとしたが、これに代えて、予め分割されたものを互いに接合して一体化するようにしてもよい。
【００６６】
図５(a)に示した侵食防止シート５１は、３枚の矩形状シート片５２の上面であって互いに反対側となる２つの縁部に沿って堰部材５３，５３を溶着によってそれぞれ配置するとともに、該堰部材が並列にかつ材軸方向に沿って連続するように３枚の矩形状シート片５２をファスナーで互いに接合して構成した例であり、該３枚の矩形状シート片５２がシート体５４を構成し、計６つの堰部材５３が一対の堰堤５５，５５を構成する。
【００６７】
矩形状シート片５２や堰部材５３は、形状や大きさあるいは長さが異なる点を除き、それぞれシート体２や堰堤３と同様に構成することが可能であり、詳細な説明はここでは省略する（以下の変形例も同様）。
【００６８】
図５(b)に示した侵食防止シート５６は、６枚の矩形状シート片５７の上面であって４つの縁部のうち、１つの縁部に沿って堰部材５８を溶着によってそれぞれ配置し、該堰部材が並列にかつ材軸方向に沿って連続するようにかつ該堰部材が互いに反対側に位置するように６枚の矩形状シート片５７をファスナーで互いに接合して構成した例であり、６枚の矩形状シート片５７がシート体５９を構成し、計６つの堰部材５８が一対の堰堤６０，６０を構成する。
【００６９】
図６に示した侵食防止シート６１は、６枚の矩形状シート片６２の上面であってそれらの中央近傍に互いに反対側となる２つの縁部の間を延びるように堰部材６３を溶着によってそれぞれ配置し、該堰部材が並列にかつ材軸方向に沿って連続するように６枚の矩形状シート片６２をファスナーで互いに接合して構成した例であり、６枚の矩形状シート片６２がシート体６４を構成し、６つの堰部材６３が一対の堰堤６５，６５を構成する。
【００７０】
図７に示した侵食防止シート７１は、図５(b)に示した侵食防止シート５６において、６枚の矩形状シート片５７のうち、堰部材５８の材軸方向に直交する方向に沿って隣り合う２つの矩形状シート片５７，５７の間に拡張用シート片７２をそれぞれ介在させた例であり、これら６枚の矩形状シート片５７及び３枚の拡張用シート片７２がシート体７３を構成する。
【００７１】
拡張用シート片７２は、形状や大きさが異なる点を除き、シート体２と同様に構成することが可能であり、詳細な説明はここでは省略する（以下の変形例も同様）。
【００７２】
図８に示した侵食防止シート８１は、図６に示した侵食防止シート６１において、６枚の矩形状シート片６２のうち、堰部材６３の材軸方向に直交する方向に沿って隣り合う２つの矩形状シート片６２，６２の間に拡張用シート片８２をそれぞれ介在させた例であり、これら６枚の矩形状シート片６２及び３枚の拡張用シート片８２がシート体８３を構成する。
【００７３】
これらの変形例によれば、予め分割されたものを自由自在にレイアウトすることにより、侵食防止シートの平面形状を対策部位の状況に応じて任意に形成することができるとともに、運搬時や保管時の取り扱いが容易になり、可搬性がより向上する。
【００７４】
特に、拡張用シート片７２，８２を介在させることにより、対策部位を広く想定することが可能となり、堤防の決壊防止措置として確実性がさらに高まる。
【符号の説明】
【００７５】
１    堤防の侵食防止シート
２    シート体
３    堰堤
６    水路
２１    堤防
２２    上面
２３    裏法面
２４    堤内側地盤面
２５    法肩
２６    法尻
４１    減勢部材
５２，５７，６２  矩形状シート片
５３，５８，６３    堰部材
５４，５９，６４，７３，８３    シート体
５５，６０，６５    堰堤
７２，８２  拡張用シート片
【図１】
2015117474.tif 000003
【図２】
2015117474.tif 000004
【図３】
2015117474.tif 000005
【図４】
2015117474.tif 000006
【図５】
2015117474.tif 000007
【図６】
2015117474.tif 000008
【図７】
2015117474.tif 000009
【図８】
2015117474.tif 000010